(57)【要約】【課題】簡単な構造で、どのような角度で傾けても使用することができるスプレー容器を提供する。【解決手段】液体を収納する容器本体１１と、この容器本体１１に収納された液体を噴出するスプレーヘッド１２と備える。容器本体１１は、例えば、スプレーヘッド１２を取り付ける口部１１Ａが設けられた上部１１Ｂと、この上部１１Ｂに対向して設けられた下部１１Ｃと、これら上部１１Ｂと下部１１Ｃとを接続する蛇腹状の側部１１Ｄとを有している。これにより、容器本体１１は、側部１１Ｄが伸縮するように変形可能とされており、内部に収納される液体の体積変化に応じて、容量が変化するようになっている。【選択図】図１
2012166792.tif 000002
【特許請求の範囲】
【請求項１】
液体を収納する容器本体と、
この容器本体に収納された液体を噴出するスプレーヘッドと、
このスプレーヘッドに一端部が配設され、他端部が前記容器本体の内部に挿入された吸上管とを備え、
前記容器本体は、内部に収納される液体の体積変化に応じて、容量が変化するように変形可能とされたことを特徴とするスプレー容器。
【請求項２】
前記容器本体は、前記スプレーヘッドを取り付ける口部が設けられた上部と、この上部に対向して設けられた下部と、これら上部と下部とを接続する蛇腹状の側部とを有し、内部に収納される液体の体積変化に応じて、側部が伸縮することを特徴とする請求項１記載のスプレー容器。
【請求項３】
前記吸上管の他端部には、前記容器本体の下部側に向かって突出された突起部が設けられたことを特徴とする請求項２記載のスプレー容器。
【請求項４】
前記容器本体は、薄膜よりなる袋状体であり、内部に収納される液体の体積変化に応じて、厚みが増減することを特徴とする請求項１記載のスプレー容器。
【請求項５】
前記吸上管は、側面にスリットが設けられたことを特徴とする請求項４記載のスプレー容器。
【請求項６】
前記容器本体を収納する外装体を備えたことを特徴とする請求項１から５のいずれか１に記載のスプレー容器。
【発明の詳細な説明】
【技術分野】
【０００１】
本発明は、容器本体の内部に収納された液体を噴出するスプレー容器に関する。
【背景技術】
【０００２】
従来より、スプレー容器としては、例えば、液体を収納する容器本体の口部にスプレーヘッドを取り付け、スプレーヘッドから容器本体の内部に液体を吸い上げる吸上管を垂下させたものが知られている。しかし、このようなスプレー容器では、スプレー容器を傾けて使用する場合も多く、容器本体内の液体の残量が少ないと、液体が容器本体内で片寄ってしまい、吸上管により吸上げることができないという問題があった。そこで、吸上管の下側を長さ方向中間部において液体の噴出方向に曲げることにより、容器本体内の液体の残量が少なくなっても、スプレーヘッドの噴出口を下に向けて使用することができるようにしたものが記載されている（例えば、特許文献１参照）。
【先行技術文献】
【特許文献】
【０００３】
【特許文献１】特開平８−３３２４２２号公報
【発明の概要】
【発明が解決しようとする課題】
【０００４】
しかしながら、特許文献１に記載のスプレー容器では、スプレーヘッドの噴出口を下に向けて使用する場合には、容器本体内の液体の残量が少なくなっても使用することができるものの、スプレー容器の傾きが少し異なると使用することができないという問題があった。
【０００５】
本発明は、このような問題に基づきなされたものであり、簡単な構造で、どのような角度で傾けても使用することができるスプレー容器を提供することを目的とする。
【課題を解決するための手段】
【０００６】
本発明のスプレー容器は、液体を収納する容器本体と、この容器本体に収納された液体を噴出するスプレーヘッドと、このスプレーヘッドに一端部が配設され、他端部が容器本体の内部に挿入された吸上管とを備え、容器本体は、内部に収納される液体の体積変化に応じて、容量が変化するように変形可能とされたものである。
【発明の効果】
【０００７】
本発明によれば、内部に収納される液体の体積変化に応じて容器本体が変形するようにしたので、液体の残量に関係なく、容器本体の内部を液体で満たした状態とすることができる。よって、スプレー容器をどのような向きに傾けても、傾きに影響されることなく、液体を噴出することができる。また、内部に空気が流入することを防止することができ、いわゆるエア噛みにより液体が噴出されない状態が発生してしまうことを防止することができる。
【０００８】
また、容器本体が、スプレーヘッドを取り付ける口部が設けられた上部と、この上部に対向して設けられた下部と、これら上部と下部とを接続する蛇腹状の側部とを有するようにすれば、簡単な構成で本発明を容易に実現することができる。この場合、吸上管の他端部に容器本体の下部側に向かって突出する突起部を設けるようにすれば、液体の残量が少なくなり、側部が縮んでも、吸上管の他端部が容器本体の下部により閉鎖され、液体を吸上げることができなくなることを防止することができる。
【０００９】
更に、容器本体を薄膜よりなる袋状体により構成するようにしても、簡単な構成で本発明を容易に実現することができる。この場合、吸上管の側面にスリットを設けるようにすれば、液体の残量が少なくなり、容器本体の厚みが薄くなっても、効率よく液体を吸上げることができる。
【００１０】
加えて、容器本体を収納する外装体を備えるようにすれば、液体の残量が少なくなっても、立てて置くことができ、使用しやすくすることができると共に、外観を美しくすることができる。
【図面の簡単な説明】
【００１１】
【図１】本発明の第１の実施の形態に係るスプレー容器の構成を表す図である。
【図２】図１に示したスプレー容器の吸上管の構成を表す図である。
【図３】第１の実施の形態の変形例を表す部分断面図である。
【図４】本発明の第２の実施の形態に係るスプレー容器の構成を表す部分断面図である。
【発明を実施するための形態】
【００１２】
以下、本発明の実施の形態について図面を参照して詳細に説明する。
【００１３】
（第１の実施の形態）
図１は、本発明の第１実施の形態に係るスプレー容器１０の構成を表すものである。このスプレー容器１０は、液体を収納する容器本体１１と、この容器本体１１に収納された液体を噴出するスプレーヘッド１２と、このスプレーヘッド１２に一端部が配設され、他端部が容器本体１１の内部に挿入された吸上管１３とを備えている。容器本体１１は、例えば、合成樹脂により構成されており、スプレーヘッド１２を取り付ける口部１１Ａが設けられた上部１１Ｂと、この上部１１Ｂに対向して設けられた下部１１Ｃと、これら上部１１Ｂと下部１１Ｃとを接続する蛇腹状の側部１１Ｄとを有している。これにより、容器本体１１は、側部１１Ｄが伸縮するように変形可能とされており、内部に収納される液体の体積変化に応じて、容量が変化するようになっている。
【００１４】
スプレーヘッド１２は、例えば、手動ポンプ１２Ａと、ノズルヘッド１２Ｂと、レバー１２Ｃとを備え、取付キャップ１２Ｄにより容器本体１１の口部１１Ａに取り付けられている。吸上管１３は、容器本体１１の内部に収納された液体を吸い上げるものである。吸上管１３の他端部は、例えば、容器本体１１が最も縮んだ状態で下部１１Ｃに触れる位置まで挿入されていることが好ましい。具体的には、例えば、容器本体１１の上部１１Ｂから下部側に１ｃｍ程度の位置まで挿入されていることが好ましい。容器本体１１の側部１１Ｄが縮んだ時に邪魔にならないようにするためである。
【００１５】
図２は、吸上管１３の他端部の構成を拡大して表すものであり、（Ａ）は下部１１Ｃの側から見た構造を表し、（Ｂ）は（Ａ）に示したＩ−Ｉ線に沿った断面構造を表している。吸上管１３は、例えば、スプレーヘッド１２から容器本体１１の内部に伸長された本管部１３Ａを有し、本管部１３Ａの他端部にはカバー部材１３Ｂが配設されていることが好ましい。カバー部材１３Ｂの下部側中央部には、例えば、容器本体１１の内部と吸上管１３の内部とを連通する貫通孔１３Ｃが設けられている。カバー部材１３Ｂの下部側周縁部には、例えば、容器本体１１の下部側に向かって突出された突起部１３Ｄが設けられている。突起部１３Ｄは、少なくとも１つ設けられていればよいが、間隔を開けて３個から５個程度、例えば４個設けられていることが好ましい。
【００１６】
このスプレー容器１０では、容器本体１１の内部に液体を入れると、側部１１Ｄが伸長する。スプレーヘッド１２は、容器本体１１の内部に空気があまり入らないようにして取り付けることが好ましい。使用の際には、容器本体１１の内部に液体を収納した状態で、スプレーヘッド１２のレバー１２Ｃを操作すると、手動ポンプ１２Ａにより吸上管１３の他端部から液体が吸い上げられ、ノズルヘッド１２Ｂを介して、液体が噴出する。容器本体１１は、収容されている液体の減少に伴い、側部１１Ｄが収縮して、容積が小さくなる。
【００１７】
このように本実施の形態のスプレー容器１０によれば、内部に収納される液体の体積変化に応じて容器本体１１が変形するようにしたので、液体の残量に関係なく、容器本体１１の内部を液体で満たした状態とすることができる。よって、スプレー容器１０をどのような向きに傾けても、傾きに影響されることなく、液体を噴出することができる。また、内部に空気が流入することを防止することができ、いわゆるエア噛みにより液体が噴出されない状態が発生してしまうことを防止することができる。
【００１８】
また、容器本体１１が、上部１１Ｂと、上部１１Ｂに対向して設けられた下部１１Ｃと、上部１１Ｂと下部１１Ｃとを接続する蛇腹状の側部１１Ｄとを有するようにしたので、簡単な構成で、液体の体積変化に応じて容量を変化させることができる。更に、容器本体１１の高さを見るだけで液体の残量を容易に判別することができる。加えて、容器本体１１にある程度の液体が入っていれば、立てて置くこともできる。
【００１９】
更にまた、吸上管１３の他端部に容器本体１１の下部側に向かって突出する突起部１３Ｃを設けるようにすれば、液体の残量が少なくなり、側部１１Ｄが縮んでも、吸上管１３の他端部が容器本体１１の下部１１Ｃにより閉鎖され、液体を吸上げることができなくなることを防止することができる。
【００２０】
（変形例）
図３は、第１の実施の形態の変形例に係るスプレー容器２０の構成を表すものである。このスプレー容器２０は、例えば、第１の実施の形態で説明した容器本体１１の上部１１Ｂに、外側に向かって突出するように設けられた鍔状部材２１を有すると共に、容器本体１１の側部１１Ｄおよび下部１１Ｃを覆うように外装体２２を備えたものである。他は第１の実施の形態と同様の構成を有している。第１の実施の形態と同一の構成要素には、同一の符号を付して示す。容器本体１１は、鍔状部材２１を外装体２２の上端部に係止して、外装体２２の内部に収納されるようになっている。このように構成すれば、液体の残量が少なくても、スプレー容器２０を立てて置くことができると共に、外観を美しくすることができる。
【００２１】
（第２の実施の形態）
図４および図５は、本発明の第２実施の形態に係るスプレー容器３０の構成を表すものである。このスプレー容器３０は、第１の実施の形態とは容器本体３１および吸上管３３の構成が異なるものである。スプレーヘッド１２の構成は同様であり、第１の実施の形態と同一の符号を付して示す。
【００２２】
容器本体３１は、液体を収納するものであり、例えば、合成樹脂製の薄膜よりなる袋状体により構成されている。これにより、容器本体３１は、袋状体の厚みが増減するように変形可能とされており、内部に収納される液体の体積変化に応じて、容量が変化するようになっている。袋状体はどのような形状でもよいが、例えば、対向する一対のシート状部３１Ａを有するようにすれば、内部に収納される液体の体積変化に応じて、一対のシート状部の間が狭くなるように変形し、厚みを薄くすることができると共に、効率よく内部の液体を吸い上げることができるので好ましい。容器本体３１は、例えば、吸上管３３に対して内部を密閉するように接合されている。なお、容器本体３１は、スプレーヘッド１２に対して内部を密閉するように接合してもよい。
【００２３】
吸上管３３は、容器本体３１の内部に収納された液体を吸い上げるものであり、一端部がスプレーヘッド１２に配設され、他端部が容器本体３１の内部に挿入されている。吸上管３３の長さは特に限定されないが、長く伸長されている必要はない。また、吸上管３３の他端部には、側面にスリット３３Ａが設けられていることが好ましい。液体の残量が少なくなり、容器本体３１の厚みが薄くなっても、効率よく液体を吸上げることができるからである。スリット３３Ａは、少なくとも１つ設けられていればよいが、間隔を開けて３個から４個程度、例えば３個設けられていることが好ましい。
【００２４】
このスプレー容器３０は、また、容器本体３１を覆う外装体３４を備えていることが好ましい。外装体３４は、例えば、紙または合成樹脂により構成されている。外装体３４には、例えば、スプレーヘッド１２を取り付ける口部３４Ａが設けられている。
【００２５】
このように本実施の形態のスプレー容器３０によれば、容器本体３１を薄膜よりなる袋状体により構成するようにしたので、簡単な構成で、液体の体積変化に応じて容量を変化させることができる。よって、第１の実施の形態と同様の効果を得ることができる。また、液体を容器本体３１の内部に密封して封入することができるので、酸化などによる品質の劣化を防止することもできる。更に、外装体３４を備えるようにすれば、変形例と同様に、スプレー容器３０を立てて置くことができると共に、外観を美しくすることができる。加えて、吸上管３３の側面にスリット３３Ａを設けるようにすれば、液体の残量が少なくなり、容器本体３１の厚みが薄くなっても、効率よく液体を吸上げることができる。
【００２６】
以上、実施の形態を挙げて本発明を説明したが、本発明は上記実施の形態に限定されるものではなく、種々変形可能である。例えば、上記実施の形態では、各構成要素について具体的に説明したが、全ての構成要素を備えていなくてもよく、他の構成要素を備えていてもよい。
【産業上の利用可能性】
【００２７】
水、園芸用栄養剤、洗剤等の液体を噴霧する際に用いることができる。
【符号の説明】
【００２８】
１０，２０，３０…スプレー容器、１１，３１…容器本体、１１Ａ…口部、１１Ｂ…上部、１１Ｃ…下部、１１Ｄ…側部、１２…スプレーヘッド、１２Ａ…手動ポンプ、１２Ｂ…ノズルヘッド、１２Ｃ…レバー、１２Ｄ…取付キャップ、１３，３３…吸上管、１３Ａ…本管部、１３Ｂ…カバー部材、１３Ｃ…貫通孔、１３Ｄ…突起部、２１…鍔状部材、２２，３４…外装体、３１Ａ…シート状部、３３Ａ…スリット、３４Ａ…口部
【図１】
2012166792.tif 000003
【図２】
2012166792.tif 000004
【図３】
2012166792.tif 000005
【図４】
2012166792.tif 000006